(57)【要約】  【課題】  映像表示装置間の連携を取ることで、複数の映像表示装置間を視聴者が移動する場合でも、視聴者の特別な操作を必要とせずに、継続的に映像の視聴ができる映像表示システムを提供する。  【解決手段】  対象物Ｔ１を検知するセンサ部２３と、映像信号を受信する映像受信部２１と、画面に映像表示を行う映像表示部２２とを有する映像表示装置２〜Ｎと、前記センサの検知情報を受け取る情報受信部１２と、受け取ったセンサ部２３のセンサ情報から出力表示装置判定部１４で判定した映像出力先となる映像表示装置２〜Ｎに対しその映像再生部１１で再生した映像を出力する映像出力部１３とを有する映像サーバ装置１とで構成される。【選択図】      図１
2005033682.tif 000002
【特許請求の範囲】
【請求項１】
対象物の位置を識別可能なセンサを有する複数の映像表示装置と、
前記映像表示装置に対し、映像データを供給する映像出力部を有する映像サーバ装置とを備え、
前記映像表示装置は、前記センサにより前記対象物が該映像表示装置近傍の予め定義された範囲内に存在するか否かを認識した結果を、前記映像サーバ装置に送信するものであり、
前記映像サーバ装置は、前記対象物を検知した前記映像表示装置に対し、前記映像出力部から映像データを供給するものである、
ことを特徴とする映像表示システム。
【請求項２】
請求項１記載の映像表示システムにおいて、
前記各映像表示装置は、前記映像サーバ装置に、該映像表示装置自身の機種、機能、サイズなどの装置情報を送信するものであり、
前記映像サーバ装置は、前記映像表示装置に対し、受け取った前記装置情報に対応する映像データを供給するものである、
ことを特徴とする映像表示システム。
【請求項３】
請求項１または２に記載の映像表示システムにおいて、
前記映像表示装置は、前記対象物の位置情報と輪郭などの対象物の特徴を示す対象物特徴情報とを、前記対象物のデータとして送信するものであり、
前記映像サーバ装置は、前記映像表示装置から受け取った前記対象物特徴情報を、予め登録された対象物特徴情報と比較する対象物判定部を有し、
前記対象物特徴情報が、映像データの視聴が許可された対象物と一致した場合、前記対象物特徴情報を送信した映像表示装置に対し映像データを供給するものである、
ことを特徴とする映像表示システム。
【請求項４】
請求項３に記載の映像表示システムにおいて、
前記対象物判定部は、前記各映像表示装置側に設けられ、
該対象物判定部は、前記対象物特徴情報と予め登録された対象物特徴情報との比較結果を、対象物情報として前記映像サーバ装置へ送信する、
ことを特徴とする映像表示システム。
【請求項５】
請求項１ないし４のいずれかに記載の映像表示システムにおいて、
１台の前記映像表示装置は、１画面のみの映像表示が可能なものであり、
前記映像表示装置のセンサにより、複数の対象物が認識された場合、前記映像サーバ装置は、予め登録された各対象物の優先順位に従い、前記映像表示装置の画面に表示する映像データを選択して前記映像表示装置に供給する、
ことを特徴とする映像表示システム。
【請求項６】
請求項５に記載の映像表示システムにおいて、
１台の前記映像表示装置は、２画面以上の表示が可能なものであり、
該映像表示装置の前記センサにより、複数の対象物が認識された場合、前記映像サーバ装置は、予め登録された各対象物の優先順位に従い、前記映像表示装置の各画面に表示する映像データを選択して前記映像表示装置に供給する、
ことを特徴とする映像表示システム。
【請求項７】
請求項６に記載の映像表示システムにおいて、
前記映像表示装置のセンサは、前記対象物の移動方向を検知するものであり、
該対象物の移動を検出した映像表示装置は、該対象物の移動情報を前記映像サーバ装置に送信するものであり、
前記映像サーバ装置は、前記対象物の移動先に存在する前記映像表示装置が、そのセンサにより前記対象物が到達したと認識するより早く、該映像表示装置に映像データを出力するものである、
ことを特徴とする映像表示システム。
【請求項８】
請求項７記載の映像表示システムにおいて、
前記映像サーバ装置は、前記対象物の移動先と予想される場所に存在する前記映像表示装置に対して、電源投入を指示する電源投入信号を送信するものであり、
前記映像表示装置は、前記電源投入信号を受け取ると、自身の電源を投入し動作を開始する、
ことを特徴とする映像表示システム。
【請求項９】
請求項１ないし８のいずれかに記載の映像表示システムにおいて、
前記センサは、ＣＣＤカメラ、ビデオカメラ、赤外線センサ、温度センサ、超音波センサ、あるいは非接触型カードリーダである、
ことを特徴とする映像表示システム。
【請求項１０】
請求項１ないし９のいずれかに記載の映像表示システムにおいて、
前記映像データに代えて、映像データおよび音声データを含むものとする、あるいは音声データのみからなるものとする、
ことを特徴とする映像表示システム。
【発明の詳細な説明】
【技術分野】
【０００１】
本発明は、映像表示システムに関し、特に、視聴者の特別な操作なく映像表示装置に映像を表示させる複数の映像表示装置と、映像サーバ装置とからなる映像表示システムに関するものである。
【背景技術】
【０００２】
従来のセンサ機能を持つ映像表示システムでは、映像を表示する映像表示装置と、映像を供給する映像サーバ装置とは一体となっており、人物の接近により操作案内が開始されるＡＴＭなどが代表として挙げられる。さらに接近した人物の特徴をセンサにより捉え、人物の特徴から装置の操作方法を適切に調整する機能を有するシステムもある（例えば、特許文献１参照）。また、人物の接近を検知し、人物の動作あるいは陳列物の移動に反応して映像表示部の表示内容を切り替えるコンビニに設置するショーケースの例もある（例えば、特許文献２参照）。
【特許文献１】特開平９−２５１５４２号公報
【特許文献２】特開２００２−１６５６７８号公報
【発明の開示】
【発明が解決しようとする課題】
【０００３】
しかし、上記従来の方法では、映像表示部分と映像再生部分とが一体型であることに加え、複数の装置があってもそれらの間には連携がなく、隣りの装置へユーザが移動した場合に、前の装置を使用したときと同じ操作を、ユーザは行わねばならない、という問題があった。
【０００４】
したがって、例えば家庭内において、ＴＶモニタ１でユーザがある番組を視聴していたが、何かの都合で隣りのＴＶモニタ２の前に移動せざるを得なくなった場合、ユーザは現在のＴＶモニタ２の電源をオンし、先のＴＶモニタ１で視聴していた番組にチャネルを合わせなければ、番組の続きを視聴することができない、というものであった。
【０００５】
本発明は、このような従来の問題点に鑑みてなされたもので、映像表示装置間の連携を取ることで、複数の映像表示装置間を視聴者が移動する場合でも、視聴者の特別な操作を必要とせずに、継続的に映像の視聴を行うことのできる映像表示システムを提供することを目的としている。
【課題を解決するための手段】
【０００６】
上記課題を解決するために、本発明の請求項１にかかる映像表示システムは、対象物の位置を識別可能なセンサを有する複数の映像表示装置と、前記映像表示装置に対し、映像データを供給する映像出力部を有する映像サーバ装置とを備え、前記映像表示装置は、前記センサにより前記対象物が該映像表示装置近傍の予め定義された範囲内に存在するか否かを認識した結果を、前記映像サーバ装置に送信するものであり、前記映像サーバ装置は、前記対象物を検知した前記映像表示装置に対し、前記映像出力部から映像データを供給する、ことを特徴とする。
【０００７】
本発明の請求項２にかかる映像表示システムは、請求項１記載の映像表示システムにおいて、前記各映像表示装置は、前記映像サーバ装置に、該映像表示装置自身の機種、機能、サイズなどの装置情報を送信するものであり、前記映像サーバ装置は、前記映像表示装置情報に対し、受け取った前記装置情報に対応する映像データを供給する、ことを特徴とする。
【０００８】
本発明の請求項３にかかる映像表示システムは、請求項１または２に記載の映像表示システムにおいて、前記映像表示装置は、前記対象物の位置情報と輪郭などの対象物の特徴を示す対象物特徴情報とを、前記対象物のデータとして送信するものであり、前記映像サーバ装置は、前記映像表示装置から受け取った前記対象物特徴情報を、予め登録された対象物特徴情報と比較する対象物判定部を有し、前記対象物特徴情報が、映像データの視聴が許可された対象物と一致した場合、前記対象物特徴情報を送信した映像表示装置に対し映像データを供給する、ことを特徴とする。
【０００９】
本発明の請求項４にかかる映像表示システムは、請求項３に記載の映像表示システムにおいて、前記対象物判定部は、前記各映像表示装置側に設けられ、該対象物判定部は、前記対象物特徴情報と予め登録された対象物特徴情報との比較結果を、対象物情報として前記映像サーバ装置へ送信する、ことを特徴とする。
【００１０】
本発明の請求項５にかかる映像表示システムは、請求項１ないし４のいずれかに記載の映像表示システムにおいて、１台の前記映像表示装置は、１画面のみの映像表示が可能なものであり、前記映像表示装置のセンサにより、複数の対象物が認識された場合、前記映像サーバ装置は、予め登録された各対象物の優先順位に従い、前記映像表示装置の画面に表示する映像データを選択して前記映像表示装置に供給する、ことを特徴とする。
【００１１】
本発明の請求項６にかかる映像表示システムは、請求項５に記載の映像表示システムにおいて、１台の前記映像表示装置は、２画面以上の表示が可能なものであり、該映像表示装置の前記センサにより、複数の対象物が認識された場合、前記映像サーバ装置は、予め登録された各対象物の優先順位に従い、前記映像表示装置の各画面に表示する映像データを選択して前記映像表示装置に供給する、ことを特徴とする。
【００１２】
本発明の請求項７にかかる映像表示システムは、請求項６に記載の映像表示システムにおいて、前記映像表示装置のセンサは、前記対象物の移動方向を検知するものであり、該対象物の移動を検出した映像表示装置は、該対象物の移動情報を前記映像サーバ装置に送信するものであり、前記映像サーバ装置は、前記対象物の移動先に存在する前記映像表示装置が、そのセンサにより前記対象物が到達したと認識するより早く、該映像表示装置に映像データを出力する、ことを特徴とする。
【００１３】
本発明の請求項８にかかる映像表示システムは、請求項７記載の映像表示システムにおいて、前記映像サーバ装置は、前記対象物の移動先と予想される場所に存在する前記映像表示装置に対して、電源投入を指示する電源投入信号を送信するものであり、前記映像表示装置は、前記電源投入信号を受け取ると、自身の電源を投入し動作を開始する、ことを特徴とする。
【００１４】
本発明の請求項９にかかる映像表示システムは、請求項１ないし８のいずれかに記載の映像表示システムにおいて、前記センサは、ＣＣＤカメラ、ビデオカメラ、赤外線センサ、温度センサ、超音波センサ、あるいは非接触型カードリーダである、ことを特徴とする。
【００１５】
本発明の請求項１０にかかる映像表示システムは、請求項１ないし９のいずれかに記載の映像表示システムにおいて、前記映像データに代えて、映像データおよび音声データを含むものとする、あるいは音声データのみからなるものとする、ことを特徴とする。
【発明の効果】
【００１６】
本発明にかかる映像表示システムによれば、映像表示装置間をユーザが移動していても、ユーザが視聴していた番組を特別な操作なく続けて別の映像表示装置で視聴可能となり、ユーザの利便性が向上する。
【００１７】
また、本発明にかかる映像表示システムによれば、複数の映像表示装置に対し映像を供給可能な映像サーバ装置と、センサにより人物の接近、移動を検知可能な映像表示装置とを備え、人物の位置あるいは移動情報を、映像表示装置から映像サーバ装置が得ることにより、人物に最も近い映像表示装置に自動的に映像表示を切り替えることが可能となる。
【００１８】
また、本発明にかかる映像表示システムによれば、映像表示装置側あるいは映像サーバ装置側で、人物の特徴を捉え、予め登録してある人物の使用に対してのみ、映像を表示させることが可能となる。
【００１９】
また、本発明にかかる映像表示システムによれば、複数の人物が同時に映像表示装置を利用している場合、検知した人物の特徴を判定し、予め登録された人物間の視聴優先順位に従って、出力する映像を切り替えることが可能となる。
【００２０】
また、本発明にかかる映像表示システムによれば、人物の移動方向を検知し、移動方向に存在する映像表示装置に対し、人物が到達する以前に先の映像表示装置に出力していた映像表示を開始することが可能となる。
【発明を実施するための最良の形態】
【００２１】
以下に、本発明の実施の形態について説明する。
（実施の形態１）
図１は、本発明の実施の形態１にかかる映像表示システムのブロック図である。
【００２２】
図１において、１は映像を供給する映像サーバ装置、２〜Ｎは映像サーバ装置１からの映像信号Ｓ２を受信する映像表示装置であり、映像表示装置３〜Ｎは、少なくとも映像表示装置Ａ（２）の機能を有している。
【００２３】
２１は、各映像表示装置２〜Ｎにおける、映像受信部、２２は映像表示部、２３はセンサ部、２４は検知情報出力部である。Ｓ１は、各映像表示装置２〜Ｎと、映像サーバ装置１との間の情報伝達経路である。１１は、前記映像サーバ装置１における、映像再生部、１２は情報受信部、１３は映像出力部、１４は該映像サーバ装置１における、複数ある映像表示装置のどれが人物を検出したかを判定する出力表示装置判定部である。
【００２４】
以下、図１を用いて、本実施の形態１による映像表示システムの動作を説明する。
今、対象物である人物Ｔ１が映像表示装置Ａ（２）の前にいることを、前記映像表示装置Ａ（２）が有するセンサ部２３で検知すると、該映像表示装置Ａ（２）は、前記対象物である人物Ｔ１を検知したことを、検知情報出力部２４から情報伝達経路Ｓ１を通じて映像サーバ装置１に伝達する。前記映像サーバ装置１は、前記検知情報を情報受信部１２で受け取り、前記複数ある映像表示装置２〜Ｎのどれが人物を検出したかを、出力表示装置判定部１４で判定する。その判定結果は、映像出力部１３に伝達され、映像再生部１１で再生された映像データの出力先を、前記映像表示装置Ａ（２）に決定し、前記映像出力部１３から、映像信号Ｓ２が、前記映像表示装置Ａ（２）に向け出力される。前記映像表示装置Ａ（２）は、前記映像信号伝達経路Ｓ２からの映像信号を映像受信部２１で受け取り、映像表示部２２に映像を表示する。
【００２５】
このような本実施の形態１による映像表示システムによれば、各映像表示装置は、対象物の位置を識別可能なセンサを有し、該センサにより、対象物が該映像表示装置近傍の予め定義された範囲に存在するか否かを認識、判断し、その結果を映像サーバ装置に送信し、該映像サーバ装置は、前記対象物を検知した映像表示装置に対し、その映像出力部より映像データを送出するようにする、すなわち、複数の映像表示装置に対し映像を供給可能な映像サーバ装置と、センサにより人物の接近、移動を検知可能な映像表示装置とを備え、人物の位置あるいは移動情報を映像表示装置から映像サーバ装置が得てこれに映像データを送出する、ことにより、人物に最も近い映像表示装置に、自動的に映像表示を切り替えることが可能となるものである。
【００２６】
なお、上記では、センサ部２３は、映像表示装置Ａ（２）に内蔵あるいは付属するよう説明しているが、センサ装置として映像表示装置の近傍に存在していてもよい。
【００２７】
また、センサ部２３の具体例として、ＣＣＤカメラ、ビデオカメラ、赤外線カメラ、温度センサ、超音波センサ、あるいは非接触型カードリーダが挙げられる。
【００２８】
また、情報伝達経路Ｓ１および映像信号伝達経路Ｓ２は、有線式でも無線式であってもよく、検知情報および映像信号のフォーマットは特に限定しない。
【００２９】
これは、以下の実施の形態２〜５においても同様である。
【００３０】
また、上記では、対象物は一つ（Ｔ１）で、映像表示装置Ａ（２）の前に存在する場合について説明を行ったが、別の対象物Ｔ２が同時に他の映像表示装置、例えば映像表示装置Ｂ３、の前に存在している場合には、映像サーバ装置１から映像表示装置Ｂ３に対しても、対象物Ｔ２用の映像信号を出力することで、対応が可能である。
【００３１】
また、上記の実施の形態１では、映像を提供するシステムについての説明を行ったが、該映像はもちろん音声を含んでいてもよいし、また、音声だけの提供システムであってもよい。これは、以下の実施の形態２〜５においても同様である。
【００３２】
（実施の形態２）
次に、本発明の実施の形態２にかかる映像表示システムについて図２を用いて説明する。
図２は、本実施の形態２にかかる映像表示システムのブロック図である。
【００３３】
本実施の形態２にかかる映像表示システムでは、映像表示装置Ａ（２）及び他の映像表示装置３〜Ｎに、それぞれ構造上の違いがある。具体的には、表示解像度や、液晶、プロジェクタなどの表示方式や、１つの表示部からなるかまたは複数の表示部からなるか、などの構造上の違いがある。
【００３４】
図２に示すように、本実施の形態２にかかる映像表示システムは、映像表示装置内の装置情報格納部２６、情報出力部２５以外は、上記実施の形態１にかかる映像表示システムと同一である。
【００３５】
前記各映像表示装置２〜Ｎは、それぞれ内部に、各自身の装置情報を格納する装置情報格納部２６を有する。
【００３６】
ある映像表示装置２（Ａ）が、そのセンサ部２３で対象物Ｔ１を検知すると、該映像表示装置は、該対象物を検知した検知情報だけでなく、自身の装置情報をも、前記装置情報格納部２６から読み出し、これら検知情報と、自身の装置情報との両情報を、情報出力部２５から、情報伝達経路Ｓ１に出力する。
【００３７】
前記検知情報および装置情報を受け取った映像サーバ装置１は、出力表示装置判定部１４で、映像出力を送出する出力先の映像表示装置の判定と、映像表示装置の装置情報から得た映像表示装置の特徴に合わせた映像出力方法とを判定し、映像出力部１３に伝達する。これにより、映像出力装置の特徴にあわせた映像信号Ｓ２を映像出力部１３が作成し、映像表示装置２（Ａ）は映像受信部２１で受信し、映像表示部２２は映像を表示する。
【００３８】
このような本実施の形態２による映像表示システムによれば、対象物を検出した映像表示装置は、映像サーバ装置に、該映像表示装置自身の機種、機能、サイズなどの装置情報を送信するようにしたので、該映像サーバ装置は、受け取った装置情報に基づき、映像表示装置に対応した映像を出力することが可能となる。
【００３９】
（実施の形態３）
図３は、本発明の実施の形態３にかかる映像表示システムのブロック図である。
図３に示すように、本実施の形態３にかかる映像表示システムは、映像表示装置２（Ａ）内の特徴情報抽出部２７、映像サーバ装置１内の、対象物特徴情報格納部１５、および対象物比較判定部１６以外については、実施の形態１にかかる映像表示システムと同一である。
【００４０】
まず、映像表示装置２（Ａ）では、対象物Ｔ１の接近を検知すると、センサ部２３で得た情報から特徴情報抽出部２７が対象物の特徴となる情報を抽出し、該対象物特徴情報を、前記対象物検知情報とともに、情報出力部２５から、情報伝達経路Ｓ１に出力する。映像サーバ装置１は、前記対象物検知情報とともに、前記対象物特徴情報を受け取り、該映像サーバ装置１自体に内蔵する、対象物特徴情報格納部１５から予め登録してある対象物の特徴情報を読み出し、前記受け取った対象物特徴情報と一致するものが存在するかどうかを対象物比較判定部１６で判定する。その判定結果は映像再生部１１に送られ、該判定結果が登録済みの対象物である場合には映像再生を行い、一致するものが存在しない場合には映像再生を行わない。従って、登録された人物に対してのみ映像出力を許可することが可能となり、家人でない他人に視聴許可を与えないようにするという視聴制限をかけることが可能となる。さらに、映像表示装置ごとに視聴許可を与えるよう、対象物特徴情報格納部１５に、各映像表示装置２〜Ｎと対応させて、対象物特徴情報を格納しておくようにすれば、例えば部屋ごとの視聴制限をかけることも可能となる。
【００４１】
なお、上記の説明では、対象物特徴情報格納部１５、および対象物比較判定部１６は、映像サーバ装置１内に存在するものとして説明を行ったが、これらはもちろん映像表示装置側にあってもよい。
【００４２】
このような本実施の形態３による映像表示システムによれば、前記映像表示装置２〜Ｎから送られる対象物のデータが、位置情報だけでなく輪郭などの対象物の特徴を示す情報であり、前記映像サーバ装置１は、前記映像表示装置から受け取った対象物特徴情報を、予め登録された対象物の特徴情報と比較する対象物判定部１６を有し、前記対象物特徴情報が、映像データの視聴が許可された対象物と一致した場合、前記対象物特徴情報を送信した映像表示装置２〜Ｎに対し、映像データを出力するものとしたので、映像表示装置側あるいは映像サーバ装置側で、人物の特徴を捉え、予め登録してある人物による使用、に対してのみ映像を表示させるようにすることが可能となる。
【００４３】
（実施の形態４）
図４は、本発明の実施の形態４にかかる映像表示システムのブロック図である。
図４に示すように、本実施の形態４にかかる映像表示システムは、映像サーバ装置１における、対象物優先順位格納部１７、および対象物優先順位判定部１８以外は、上記実施の形態３にかかる映像表示システムと同一である。
【００４４】
まず、映像表示装置Ａ（２）が１画面のみの表示が可能なものであるとする。映像表示装置Ａ（２）の前に２つの対象物（人物）Ｔ１、Ｔ２があり、前記映像表示装置Ａ（２）のセンサ部２３でこれを検知すると、特徴情報抽出部２７では、対象物Ｔ１、Ｔ２の２つの特徴を抽出し、これらの対象物特徴情報を、前記対象物検知情報とともに、映像サーバ装置１へと送出する。前記映像サーバ装置１では、受け取った対象物特徴情報から、検知した対象物が登録済みの対象物であるかを判定し、かつ登録済みの対象物である場合は、対象物優先順位格納部１７に格納された対象物間の視聴優先順位データに従って、対象物優先順位判定部１８において、現在検知された対象物の中で最優先の対象物はどれであるかを判定する。映像再生部１１では、判定された最優先の対象物に対応した映像を再生し、映像再生装置Ａ（２）へと出力する。
【００４５】
なお、上記の説明では、対象物である人物が２名の場合について説明を行ったが、センサ部２３、ならびに特徴情報抽出部２７で検知が可能である限り、３人以上であってもよい。また、対象物比較判定部１６、および対象物優先順位判定部１８が一体となり、対象物の特徴情報と優先順位が対応したデータとして一箇所に格納されており、対象物の特徴と、優先順位とを同時に判定するようにしてもよい。
【００４６】
また、映像表示装置Ａ（２）が２画面以上を同時に表示可能な装置である場合には、対象物の表示優先順位に従い、２画面あるいはそれ以上の画面用映像信号を、映像サーバから送信するようにすればよい。
【００４７】
このように本実施の形態４による映像表示システムによれば、１つの映像表示装置前に同時に複数の対象物が存在する場合であっても、映像表示装置の画面に表示する映像を選択するのが困難になることなく、表示優先順位に従って表示することが可能となる。
【００４８】
（実施の形態５）
図５は、本発明の実施の形態５にかかる映像表示システムのブロック図である。
図５に示すように、本実施の形態５にかかる映像表示システムは、映像表示装置Ａ２内の、対象物移動方向判定部２８、電源制御部２８、および、映像サーバ装置１内における電源制御信号出力部１９以外は、上記実施の形態１にかかる映像表示システムと同一である。
【００４９】
まず、映像表示装置Ａ（２）は、センサ部２３で、対象物Ｔ１を検知すると同時に、対象物移動方向判定部２８で対象物Ｔ１の移動方向を判定する。例えば、対象物Ｔ１が映像表示装置Ａ（２）から映像表示装置Ｂ（３）方向へ移動していることを、前記対象物移動方向判定部２８で判定したとする。その判定結果を示す情報は、映像サーバ装置１へ送信される。そして、映像サーバ装置１は、対象物がＴ１からＴ１’に移動する前に、電源制御信号出力部１９から映像表示装置Ｂ（３）に対して、電源をオンにする制御信号を信号伝達経路Ｓ３を介して出力し、映像信号Ｓ２についても映像表示装置Ｂ（３）に向けて出力するよう映像出力部１３で切り替える。前記映像表示装置Ｂ（３）では、前記映像サーバ装置１からの電源制御信号Ｓ３を受け取り、電源をオンすると共に、映像信号Ｓ２を受信し、映像表示部２２に映像を表示する。
【００５０】
これにより、別の部屋に人物が移動しても、前の部屋で視聴していた番組の続きを、特別な操作無しに視聴し続けることができ、視聴者の利便性が向上する。
【００５１】
また、使用していない映像表示装置は、電源をオフし、視聴者が使用すると予測される映像表示装置のみ電源をオンすることで、システム全体の消費電力を削減することが可能となる。
【００５２】
なお、上記では、情報伝達経路Ｓ１と電源制御信号伝達経路Ｓ３は、別々の経路として説明したが、もちろん双方向で伝達可能な経路を使用してもよい。
【００５３】
このような本実施の形態５による映像表示システムによれば、人物の移動方向を検知し、移動方向に存在する映像表示装置に対し、人物が到達する以前に先の映像表示装置に出力していた映像の表示を開始するようにできる。
【産業上の利用可能性】
【００５４】
本発明は、家庭内での番組の視聴や、博物館などで効果的な展示を可能とする映像表示システムとして有用である。
【図面の簡単な説明】
【００５５】
【図１】本発明の実施の形態１にかかる映像表示システムのブロック図
【図２】本発明の実施の形態２にかかる映像表示システムのブロック図
【図３】本発明の実施の形態３にかかる映像表示システムのブロック図
【図４】本発明の実施の形態４にかかる映像表示システムのブロック図
【図５】本発明の実施の形態５にかかる映像表示システムのブロック図
【符号の説明】
【００５６】
１  映像サーバ装置
２〜Ｎ  映像表示装置
１１  映像再生部
１２  情報受信部
１３  映像出力部
１４  出力表示装置判定部
１５  対象物特徴情報格納部
１６  対象物比較判定部
１７  対象物優先順位格納部
１８  対象物優先順位判定部
１９  電源制御信号出力部
２１  映像受信部
２２  映像表示部
２３  センサ部
２４  検知情報出力部
２５  情報出力部
２６  装置情報格納部
２７  特徴情報抽出部
２８  対象物移動方向判定部
Ｓ１  情報伝達経路
Ｓ２  映像信号
【図１】
2005033682.tif 000003
【図２】
2005033682.tif 000004
【図３】
2005033682.tif 000005
【図４】
2005033682.tif 000006
【図５】
2005033682.tif 000007